(57)【特許請求の範囲】
【請求項１】
織布の織前とサーフェスローラとの間の織布経路で前記織布の下側から脱水を行う吸引筒を備えたウォータジェットルームの脱水装置であって、
前記吸引筒の最上部が前記織前よりも上に突き出た位置となるように配置されており、
防水プレート及びカバーが、前記織布経路における前記織前側から前記吸引筒までの間を覆っており、
前記防水プレート及びカバーで覆われた織布経路のすべてが、前記織前側から前記吸引筒に向けて昇り勾配になっていることを特徴とするウォータジェットルームの脱水装置。
【請求項２】
前記織布経路における前記織前側には、前記織布を挟み込むバーテンプルが設けられており、
前記吸引筒の最上部が前記バーテンプルの最上部よりも上に突き出た位置となるように配置されており、
前記防水プレート及びカバーが、前記織布経路における前記バーテンプル側から前記吸引筒までの間を覆っており、
前記防水プレート及びカバーで覆われた織布経路のすべてが、前記バーテンプルの最上部から前記吸引筒に向けて昇り勾配になっていることを特徴とする請求項１に記載のウォータジェットルームの脱水装置。
【請求項３】
前記織前には、前記織布を押さえ付ける押さえ部材が設けられており、
前記吸引筒の最上部が前記押さえ部材により前記織布が押さえ付けられた箇所よりも上に突き出た位置となるように配置されており、
前記防水プレート及びカバーが、前記織布経路における前記押さえ部材側から前記吸引筒までの間を覆っており、
前記防水プレート及びカバーで覆われた織布経路のすべてが、前記押さえ部材により前記織布が押さえ付けられた箇所から前記吸引筒に向けて昇り勾配になっていることを特徴とする請求項１に記載のウォータジェットルームの脱水装置。
【発明の詳細な説明】
【技術分野】
【０００１】
本発明は、ウォータジェットルームの脱水装置に関する。
【背景技術】
【０００２】
ウォータジェットルームで製織された織布は水浸しになっているため、織布の脱水を行う必要がある。そこで、ウォータジェットルームには、織布の脱水を行う脱水装置が設けられている。ウォータジェットルームの脱水装置は、織前とサーフェスローラとの間の織布経路で織布の脱水を行う吸引部材を有する。吸引部材にはスリットが形成されている。また、吸引部材にはブロワが接続されている。ブロワが作動すると、吸引部材のスリットに吸引流が生じる。そして、サーフェスローラの回転によってサーフェスローラ側へ引き取られる織布が、吸引部材のスリット上を通過する際に吸引部材の吸引作用を受けることで、織布に浸み込んでいる水が吸引される。
【０００３】
しかしながら、織り密度の高い織布では、織前とサーフェスローラとの間の織布の上面を水が流れ、織布の上面を流れる水は、サーフェスローラ側に流れ込む。サーフェスローラ側へ水が流れ込むと、織布に浸み込んでいる水を、吸引部材によって吸引し難くなってしまい、織布の脱水効率が低下してしまう。
【０００４】
そこで、織布の上面を流れる水がサーフェスローラ側に流れ込むことを阻止しようとしたものが、特許文献１に開示されている。特許文献１のウォータジェットルームの脱水装置は、織前と主吸引筒（吸引部材）との間に、織布の織前及び主吸引筒の最上位部位を通る水平面（ワープライン）の高さよりも上に突き出た案内バーを設けることで、案内バーにより織布を下から支え、織前と主吸引筒との間の織布経路を織布の織り幅方向に見て山形となる形状にしている。このような織布経路の山形形状は、織布の上面を流れる水が主吸引筒側（サーフェスローラ側）へ流れ込む割合を少なくする。
【先行技術文献】
【特許文献】
【０００５】
【特許文献１】特開２００５−４２２５５号公報
【発明の概要】
【発明が解決しようとする課題】
【０００６】
しかしながら、特許文献１のウォータジェットルームの脱水装置では、織布経路が山形形状であるため、織布経路における昇り経路に位置する織布の上面を流れる水が、織布経路の頂部を越えて、織布経路における降り経路に位置する織布の上面に流れ込む虞がある。すると、織布経路における降り経路に位置する織布の上面を流れる水が、主吸引筒側（サーフェスローラ側）へ流れ込んでしまい、織布の脱水効率が低下する。
【０００７】
本発明は、上記課題を解決するためになされたものであって、その目的は、織布の脱水効率を向上させることができるウォータジェットルームの脱水装置を提供することにある。
【課題を解決するための手段】
【０００８】
上記課題を解決するウォータジェットルームの脱水装置は、織布の織前とサーフェスローラとの間の織布経路で前記織布の下側から脱水を行う吸引筒を備えたウォータジェットルームの脱水装置であって、前記吸引筒の最上部が前記織前よりも上に突き出た位置となるように配置されており、防水プレート及びカバーが、前記織布経路における前記織前側から前記吸引筒までの間を覆っており、前記防水プレート及びカバーで覆われた織布経路のすべてが、前記織前側から前記吸引筒に向けて昇り勾配になっている。
【０００９】
これによれば、織前側から吸引筒までの織布経路が昇り経路となるため、織布の上面を流れる水がサーフェスローラ側に流れ込むといったことが無い。よって、織布の上面を流れる水がサーフェスローラ側に流れ込むことを防止することができるため、織布の脱水効率を向上させることができる。
【００１０】
上記ウォータジェットルームの脱水装置において、前記織布経路における前記織前側には、前記織布を挟み込むバーテンプルが設けられており、前記吸引筒の最上部が前記バーテンプルの最上部よりも上に突き出た位置となるように配置されており、前記防水プレート及びカバーが、前記織布経路における前記バーテンプル側から前記吸引筒までの間を覆っており、前記防水プレート及びカバーで覆われた織布経路のすべてが、前記バーテンプルの最上部から前記吸引筒に向けて昇り勾配になっていることが好ましい。
【００１１】
これによれば、バーテンプルによって織布が全ての幅にわたって把持されているため、吸引筒をバーテンプルよりも上方に位置させるだけで織布経路を昇り勾配とすることができる。
【００１２】
上記ウォータジェットルームの脱水装置において、前記織前には、前記織布を押さえ付ける押さえ部材が設けられており、前記吸引筒の最上部が前記押さえ部材により前記織布が押さえ付けられた箇所よりも上に突き出た位置となるように配置されており、前記防水プレート及びカバーが、前記織布経路における前記押さえ部材側から前記吸引筒までの間を覆っており、前記防水プレート及びカバーで覆われた織布経路のすべてが、前記押さえ部材により前記織布が押さえ付けられた箇所から前記吸引筒に向けて昇り勾配になっていることが好ましい。
【００１３】
これによれば、バーテンプルに代えて織布の端部側に公知のリングテンプルを用いる場合でも、押さえ部材により織布の全ての幅で織布経路を昇り勾配とすることができる。
【発明の効果】
【００１４】
この発明によれば、織布の脱水効率を向上させることができる。
【図面の簡単な説明】
【００１５】
【図１】実施形態におけるウォータジェットルームの脱水装置を示す模式図。
【図２】脱水装置の一部を示す模式図。
【図３】脱水装置の一部を示す斜視図。
【図４】別の実施形態における脱水装置の一部を示す模式図。
【発明を実施するための形態】
【００１６】
以下、ウォータジェットルームの脱水装置を具体化した一実施形態を図１〜図３にしたがって説明する。
図１に示すように、ウォータジェットルームの脱水装置１０は、バーテンプル１１、ブレストバー１２、サーフェスローラ１３、一対のプレスローラ１４，１５及びクロスローラ１６を有する。そして、緯入れ用ノズルＮから水を噴射して経糸Ｔに対して緯糸の緯入れが行われることで製織された織布Ｗは、バーテンプル１１、ブレストバー１２、サーフェスローラ１３、一対のプレスローラ１４，１５を経由してクロスローラ１６に巻き取られる。
【００１７】
図２に示すように、バーテンプル１１は、織前Ｗ１とサーフェスローラ１３との間の織布経路Ｍにおける織前Ｗ１側に設けられている。バーテンプル１１は、織布Ｗの織り幅全体に亘る上下一対のガイドバー１１ａ，１１ｂと、両ガイドバー１１ａ，１１ｂ間に介在されて織布Ｗの織り幅全体に亘るスピンドル１１ｃとから構成されている。織布Ｗは、ガイドバー１１ａ，１１ｂとスピンドル１１ｃとの間に挟み込まれて織り縮みが防止される。これにより、織り密度の高い織布Ｗが得られる。また、脱水装置１０には、織布経路Ｍで織布Ｗの下側から織布Ｗの脱水を行う吸引部材としての吸引筒２０が設けられている。
【００１８】
図３に示すように、吸引筒２０は円筒状であるとともに、少なくとも織り幅方向の織布Ｗの全域に接触する長さに形成されている。吸引筒２０にはスリット２０ｓが形成されている。スリット２０ｓは、少なくとも織り幅方向の織布Ｗの全域に臨む長さに形成されている。
【００１９】
図２に示すように、織布Ｗは、吸引筒２０の最上部２０ｈに接してサーフェスローラ１３側へ案内される。吸引筒２０は、吸引筒２０の最上部２０ｈが、バーテンプル１１の最上部１１ｈ（ガイドバー１１ａの最上部）よりも上に突き出た位置となるように配置されている。よって、バーテンプル１１の最上部１１ｈから吸引筒２０までの織布経路Ｍは、バーテンプル１１の最上部１１ｈから吸引筒２０に向けて昇り勾配になっている。すなわち、織前Ｗ１側から吸引筒２０までの織布経路Ｍは、織前Ｗ１側から吸引筒２０に向けて昇り勾配になっている。
【００２０】
図１に示すように、吸引筒２０は、配管２１、気水分離器２２及び配管２３を介してブロワ２４に接続されている。ブロワ２４が作動すると、吸引筒２０のスリット２０ｓに吸引流が生じる。また、気水分離器２２には水タンク２５が接続されている。
【００２１】
吸引筒２０の上方には防水プレート２６が配設されている。防水プレート２６の上部の内側には補助プレート２６ａが一体形成されている。また、織布経路Ｍの上方にはカバー２７が配設されている。防水プレート２６及びカバー２７は、織布経路Ｍにおけるバーテンプル１１側から吸引筒２０までの間を覆っている。
【００２２】
次に、本実施形態の作用について説明する。
織り密度の高い織布Ｗでは、織前Ｗ１とサーフェスローラ１３との間の織布Ｗの上面を水が流れ、織布Ｗの上面を流れる水は、サーフェスローラ１３側に流れ込もうとする。このとき、バーテンプル１１の最上部１１ｈから吸引筒２０までの織布経路Ｍは、バーテンプル１１の最上部１１ｈから吸引筒２０に向けて昇り勾配になっている。すなわち、織前Ｗ１側から吸引筒２０までの織布経路Ｍが昇り経路となるため、織布Ｗの上面を流れる水がサーフェスローラ１３側に流れ込むといったことが無い。よって、織布Ｗの上面を流れる水がサーフェスローラ１３側に流れ込むことが防止される。
【００２３】
そして、緯入れ用ノズルＮから水を噴射して緯糸の緯入れを行っているとき（製織を行っているとき）には、ブロワ２４が作動され、吸引筒２０のスリット２０ｓに吸引流が生じている。サーフェスローラ１３の回転によってサーフェスローラ１３側へ引き取られる織布Ｗは、吸引筒２０の吸引作用を受ける。これにより、織布Ｗに浸み込んでいる水が吸引筒２０の吸引作用によって吸引される。このとき、織前Ｗ１側から吸引筒２０までの織布経路Ｍが昇り経路となっており、織布Ｗの上面を流れる水がサーフェスローラ１３側に流れ込むといったことが無いため、織布Ｗの脱水効率が向上する。そして、吸引筒２０によって吸引された水は、気水分離器２２で空気から分離されて水タンク２５へ送られる。
【００２４】
上記実施形態では以下の効果を得ることができる。
（１）織前Ｗ１側から吸引筒２０までの織布経路Ｍを、織前Ｗ１側から吸引筒２０に向けて昇り勾配にした。これによれば、織前Ｗ１側から吸引筒２０までの織布経路Ｍが昇り経路となるため、織布Ｗの上面を流れる水がサーフェスローラ１３側に流れ込むといったことが無い。よって、織布Ｗの上面を流れる水がサーフェスローラ１３側に流れ込むことを防止することができるため、織布Ｗの脱水効率を向上させることができる。
【００２５】
（２）織布経路Ｍにおける織前Ｗ１側にバーテンプル１１を設けた。これによれば、バーテンプル１１によって織布Ｗが全ての幅にわたって把持されているため、吸引筒２０をバーテンプル１１よりも上方に位置させるだけで織布経路Ｍを昇り勾配とすることができる。
【００２６】
（３）例えば、織布Ｗの上面を流れる水がサーフェスローラ１３側に流れ込むことを防止するために、織布Ｗの上面を流れる水を堰き止める堰き止め部材や、吸引筒２０における水の吸引を補助するために吸引筒２０側に織布Ｗを押さえ付ける補助部材等を設けることが考えられる。しかし、堰き止め部材や補助部材等は、織布Ｗに接触しているため、堰き止め部材や補助部材等における織布Ｗとの接触部分に糊カスや糸の油剤等の異物が付着する。そして、堰き止め部材や補助部材等における織布Ｗとの接触部分に異物が付着した状態で、脱水装置１０を停止させると、織布Ｗにおける堰き止め部材や補助部材等との接触部位に異物の跡が付着してしまい、織布Ｗの品質が低下してしまう。そこで、本実施形態では、織前Ｗ１側から吸引筒２０までの織布経路Ｍを、織前Ｗ１側から吸引筒２０に向けて昇り勾配にすることで、織布Ｗの上面を流れる水がサーフェスローラ１３側に流れ込むことを防止している。よって、堰き止め部材や補助部材等を設ける必要が無く、織布Ｗの品質が低下してしまうことを抑制することができる。
【００２７】
なお、上記実施形態は以下のように変更してもよい。
○  図４に示すように、バーテンプル１１に代えて織布Ｗの端部側に公知のリングテンプルを用いる場合、織前Ｗ１に、織布Ｗを押さえ付ける押さえ部材３１を設けてもよい。押さえ部材３１は少なくともリングテンプル（図示せず）に把持されていない織布Ｗの中央側を押さえるようにすれば足りるが、本実施形態では全ての幅において織布Ｗを押さえている。織布Ｗは、押さえ部材３１によりフェルプレート３２との間で押さえ付けられて挟み込まれる。図４の実施形態では、押さえ部材３１により織前Ｗ１を押さえ付けているが、必ずしも織前Ｗ１に押さえ付ける場所を一致させなくてもよい。そして、織布Ｗが押さえ付けられた箇所（織前Ｗ１）から吸引筒２０までの織布経路Ｍを、織布Ｗが押さえ付けられた箇所から吸引筒２０に向けて昇り勾配とする。リングテンプルを用いる場合、織布Ｗの中央側では織布Ｗが拘束されないので単に吸引筒２０を織前Ｗ１よりも上方に配置するだけでは織布Ｗの中央側で織布経路Ｍを昇り勾配とすることはできないが、押さえ部材３１により織布Ｗの中央側で織布Ｗを押し付けるようにすることで、織布Ｗの全ての幅で織布経路Ｍを昇り勾配とすることができる。
【００２８】
○  実施形態において、吸引筒２０が、織布Ｗの織り幅方向の長さよりも短く形成されていてもよい。この場合、スリット２０ｓは、織布Ｗの織り幅方向の長さよりも短い。
○  実施形態において、例えば、吸引筒２０に、吸引流が生じる複数の孔が形成されており、織布Ｗに浸み込んでいる水を各孔から吸引するようにしてもよい。
【００２９】
○  実施形態において、吸引筒２０が四角筒状や三角筒状等であってもよい。
次に、上記実施形態及び別例から把握できる技術的思想について以下に追記する。
（イ）前記吸引部材は、少なくとも織り幅方向の前記織布の全域に接触する長さに形成されている。
【００３０】
（ロ）前記吸引部材には、吸引流が生じるスリットが形成されており、前記スリットは、少なくとも織り幅方向の前記織布の全域に臨む長さに形成されている。
【符号の説明】
【００３１】
Ｍ…織布経路、Ｗ…織布、Ｗ１…織前、１０…脱水装置、１１…バーテンプル、１１ｈ…最上部、１３…サーフェスローラ、２０…吸引部材としての吸引筒、３１…押さえ部材。
【図１】
0006007871.tif 000002
【図２】
0006007871.tif 000003
【図３】
0006007871.tif 000004
【図４】
0006007871.tif 000005